(57)【要約】    【課題】  本発明は、スキャン実行時やスキャンした画像を参照する際に行われるユーザ認証のセキュリティをより強化することができる画像読取装置を提供する。    【解決手段】  本画像読取装置は、原稿の画像を光学的に読み取って光電変換し、原稿画像に応じたデジタル画像データをプリンタ部２及び画像入出力制御部３に出力するリーダ部１と、リーダ部１及び画像入出力制御部３から送られた画像データを、例えば電子写真方式で記録紙上に記録するプリンタ部２とを備え、原稿画像を読み取ってＣＣＤ１０９によって光電変換された画像データに認証用のビットを付加し、認証用ビットが付加された画像データを暗号化し、認証用ビットを解析して適切なデバイスのものであるか否かを判断して、暗号化された画像データを解読して復号する。【選択図】      図５
2005286884.tif 000002
【特許請求の範囲】
【請求項１】
原稿を含む記録材に記録された画像を露光走査する走査手段と、前記走査手段による露光走査により得られた光学像を電子的な画像データに変換する光電変換手段と、変換された画像データに基づいて画像を生成する画像生成手段とを有する画像読取装置において、
前記光電変換手段により変換された画像データに認証用のビットを付加する認証用ビット付加手段と、
前記認証用ビットが付加された画像データを暗号化するデータ暗号化手段と、
前記認証用ビットを解析して適切なデバイスのものであるか否かを判断するデータ解析手段と、
前記暗号化された画像データを解読して復号するデータ復号手段と
を備えることを特徴とする画像読取装置。
【請求項２】
前記認証用ビット付加手段は、露光走査された画像データの種類の情報を認証用ビットとして付加することを特徴とする請求項１記載の画像読取装置。
【請求項３】
異なる通信プロトコルを有する機器間の通信を可能にするプロトコル変換手段を備えることを特徴とする請求項１又は２記載の画像読取装置。
【請求項４】
原稿を含む記録材に記録された画像を露光走査する走査手段と、前記走査手段による露光走査により得られた光学像を電子的な画像データに変換する光電変換手段と、変換された画像データに基づいて画像を生成する画像生成手段とを有する画像読取装置と、該画像読取装置にネットワークを介して接続された情報処理装置とで構成される画像読取システムにおいて、
前記画像読取装置は、前記光電変換手段により変換された画像データに認証用のビットを付加する認証用ビット付加手段と、
前記認証用ビットが付加された画像データを暗号化するデータ暗号化手段と、
前記認証用ビットを解析して適切なデバイスのものであるか否かを判断するデータ解析手段と、
前記暗号化された画像データを解読して復号するデータ復号手段と、
前記光電変換手段により得られた画像データを前記情報処理装置に転送する転送手段とを有することを特徴とする画像読取システム。
【請求項５】
前記情報処理装置は、前記画像読取装置に対して各種の指示を行うためのユーザインタフェースを有することを特徴とする請求項４記載の画像読取システム。
【請求項６】
前記画像読取装置は、異なる通信プロトコルを有する機器間の通信を可能にするプロトコル変換手段を備えることを特徴とする請求項４又は５記載の画像読取システム。
【発明の詳細な説明】
【技術分野】
【０００１】
本発明は、画像読取装置及び画像読取システムに関し、特に、原稿等に記録された画像を光学的に走査（スキャン）することにより読取り、画像データに変換して入力する画像読取装置及び画像読取システムに関する。
【背景技術】
【０００２】
従来、原稿等に記録された画像を光学的に走査（スキャン）することにより読取り、デジタルデータに変換して入力する画像読取システムが知られている。この種の画像読取システムに用いられるセキュリティ技術としては、スキャンの実行時やスキャンした画像を参照する際にユーザのＩＤやパスワードを入力してユーザ認証を行う技術がある（例えば、特許文献１参照）。
【特許文献１】特開２０００−８３２３２号公報
【発明の開示】
【発明が解決しようとする課題】
【０００３】
しかしながら、スキャンの実行時やスキャンした画像を参照する際に行われるユーザ認証では、セキュリティ面や安全性において充分ではない。特に、機種の異なる複数のデバイス（スキャナ）が接続されている環境において、更なるセキュリティの強化が重要である。また、スキャンした画像データを安全に保護し、セキュリティを強化する必要がある。
【０００４】
本発明は、上記課題に鑑みてなされたものであり、スキャン実行時やスキャンした画像を参照する際に行われるユーザ認証のセキュリティをより強化することができる画像読取装置及び画像読取システムを提供することを目的とする。
【課題を解決するための手段】
【０００５】
上記目的を達成するために、請求項１記載の画像読取装置は、原稿を含む記録材に記録された画像を露光走査する走査手段と、前記走査手段による露光走査により得られた光学像を電子的な画像データに変換する光電変換手段と、変換された画像データに基づいて画像を生成する画像生成手段とを有する画像読取装置において、前記光電変換手段により変換された画像データに認証用のビットを付加する認証用ビット付加手段と、前記認証用ビットが付加された画像データを暗号化するデータ暗号化手段と、前記認証用ビットを解析して適切なデバイスのものであるか否かを判断するデータ解析手段と、前記暗号化された画像データを解読して復号するデータ復号手段とを備えることを特徴とする。
【０００６】
上記目的を達成するために、請求項４記載の画像読取システムは、原稿を含む記録材に記録された画像を露光走査する走査手段と、前記走査手段による露光走査により得られた光学像を電子的な画像データに変換する光電変換手段と、変換された画像データに基づいて画像を生成する画像生成手段とを有する画像読取装置と、該画像読取装置にネットワークを介して接続された情報処理装置とで構成される画像読取システムにおいて、前記画像読取装置は、前記光電変換手段により変換された画像データに認証用のビットを付加する認証用ビット付加手段と、前記認証用ビットが付加された画像データを暗号化するデータ暗号化手段と、前記認証用ビットを解析して適切なデバイスのものであるか否かを判断するデータ解析手段と、前記暗号化された画像データを解読して復号するデータ復号手段と、前記光電変換手段により得られた画像データを前記情報処理装置に転送する転送手段とを有することを特徴とする。
【発明の効果】
【０００７】
本発明によれば、スキャンした画像データに認証用ビットを付加し、当該画像データを暗号化するので、スキャン実行時やスキャンした画像を参照する際に行われるユーザ認証のセキュリティをより強化することができる。
【発明を実施するための最良の形態】
【０００８】
以下、本発明の実施の形態を図面を参照して説明する。
【０００９】
［第１の実施の形態］
図１は、本発明の第１の実施の形態に係る画像読取システムの全体を示すシステム構成図である。
【００１０】
図１において、リーダ部１、プリンタ部２、及び画像入出力制御部３は、画像読取装置としてマルチファンクションプリンタ（複合機）を構成し、このマルチファンクションプリンタは、ネットワーク１３を介して、コンピュータ１１、ネットワークサーバ１２等の外部機器に接続されている。
【００１１】
リーダ部１は、原稿の画像を光学的に読み取って光電変換し、原稿画像に応じたデジタル画像データをプリンタ部２及び画像入出力制御部３に出力する。プリンタ部２は、リーダ部１及び画像入出力制御部３から送られた画像データを、例えば電子写真方式で記録紙上に記録する。
【００１２】
画像入出力制御部３は、リーダ部１及びプリンタ部２に接続されており、ファクシミリ部４、ファイル部５、光磁気ディスク・ドライブユニット６、ネットワークインターフェース部７、ＬＩＰＳ（LBP Image Processing System）フォーマッタ部８、ポストスクリプト（ＰＳ）フォーマッタ部９、及びコア部１０などから構成されている。
【００１３】
ファクシミリ部４は、電話回線１４を介して受信した圧縮画像データを伸長して、この伸長された画像データをコア部１０へ転送する。また、コア部１０から転送された画像データを圧縮し、圧縮された圧縮画像データを電話回線１４を介して送信する。
【００１４】
ファイル部５には、光磁気ディスク・ドライブユニット６が接続されており、ファイル部５は、コア部１０から転送された画像データを圧縮し、この画像データを検索するためのキーワードとともに光磁気ディスク・ドライブユニット６内の光磁気ディスクに画像データを記憶させる。また、ファイル部５は、コア部１０を介して転送されたキーワードに基づいて、光磁気ディスク・ドライブユニット６内の光磁気ディスクに記憶されている圧縮画像データを検索し、得られた圧縮画像データを読出して伸長し、伸長された画像データをコア部１０へ転送する。
【００１５】
ネットワークインターフェース部７は、パーソナルコンピュータ（ＰＣ）、ワークステーション（ＷＳ）等から成るコンピュータ１１とコア部１０との間のインターフェース制御を行う。ＬＩＰＳフォーマッタ部８及びＰＳフォーマッタ部９は、コンピュータ１１から転送されたＰＤＬ（ページ記述言語）データをプリンタ部２で記録できる画像データに展開するものである。ネットワークサーバ１２は、ネットワーク制御を行う。
【００１６】
コア部１０については後述するが、コア部１０は、リーダ部１、ファクシミリ部４、ファイル部５、ネットワークインターフェース部７、ＬＩＰＳフォーマッタ部８、及びＰＳフォーマッタ部９の各相互間でのデータの流れを制御するものである。
【００１７】
図２は、図１のマルチファンクションプリンタの内部構成を示す概略断面図である。
【００１８】
図２において、リーダ部１の自動原稿給送装置１０１では、複数枚の原稿３０２がスキャンする面を上向きにして原稿載置台３０１に載置される。そして、原稿載置台３０１に載置された原稿３０２は、最終頁から順に１枚ずつ表裏反転してプラテンガラス（原稿台、読取台）１０２上へ給送され、原稿の読取動作が終了した後、プラテンガラス１０２上から排出される。
【００１９】
原稿載置台３０１には、載置された原稿３０２のサイズを検知する原稿サイズセンサ３０１ａが設けられている。この原稿サイズセンサ３０１ａは、例えば、原稿載置台３０１に載置された複数の原稿３０２の各辺を揃えるための原稿セットガイド（図示省略）の位置を検知することにより、原稿３０２のサイズを検知するように構成されている。
【００２０】
リーダ部１は、原稿３０２がプラテンガラス１０２上に搬送されると、ランプ１０３を点灯した状態でスキャナユニット１０４を移動させることにより、原稿を露光走査する。このときの原稿３０２からの反射光は、ミラー１０５，１０６，１０７、及びレンズ１０８によってＣＣＤイメージセンサ（以下、単に「ＣＣＤ」という）１０９へ導かれる。
【００２１】
このようにして露光走査された原稿３０２の画像光は、ＣＣＤ１０９によって光電変換される。ＣＣＤ１０９から出力される画像データは、Ａ／Ｄ変換等の処理が施された後、プリンタ部２及び画像入出力制御部３のコア部１０へ転送される。
【００２２】
プリンタ部２のレーザドライバ２２１は、レーザ発光部２０１を駆動するものであり、リーダ部１から出力された画像データに応じたレーザ光をレーザ発光部２０１から発光させる。このレーザ光は感光ドラム２０２に照射され、レーザ光に応じた潜像が感光ドラム２０２上に形成される。この感光ドラム２０２の潜像の部分には現像器２０３によって現像剤が付着させる。
【００２３】
そして、レーザ光の照射開始と同期したタイミングで、カセット２０４又はカセット２０５から記録紙を給紙して転写部２０６へ搬送し、感光ドラム２０２に付着させた現像剤を記録紙に転写する。現像剤が転写された記録紙は定着部２０７に搬送され、定着部２０７の熱と圧力により現像剤が記像紙に定着される。定着部２０７を通過した記録紙は、片面記録が設定されている場合は、排出ローラ２０８によってそのままソータ２２０に排出され、ソータ２２０は、排出された記録紙をそれぞれのビン２５０に収納して記録紙の仕分けを行う。なお、ソータ２２０では、仕分けが設定されていない場合は最上ビンに記録紙を収納する。
【００２４】
両面記録が設定されている場合は、排出ローラ２０８の位置まで記録紙を搬送した後、排出ローラ２０８の回転方向を逆転させ、フラッパ２０９によって記録紙を再給紙搬送路へ導く。また、多重記録が設定されている場合は、記録紙を排出ローラ２０８の位置まで搬送しないでフラッパ２０９によって再給紙搬送路へ導く。再給紙搬送路へ導かれた記録紙は、上述したタイミングで転写部２０６へ給紙される。
【００２５】
フェースアップ排紙が設定されている場合は、記録紙を反転排紙ユニット２３０をそのまま素通りさせてソータ２２０に排紙する。一方、フェースダウン排紙が設定されている場合は、反転排紙ユニット２３０により記録紙の排紙方向を逆転させて排紙する。この場合、記録紙は、一旦２３１の位置まで搬送され、搬送方向を逆にして後ろから排紙される。
【００２６】
図３は、図１のリーダ部１の内部構成を示すブロック図である。
【００２７】
図３において、ＣＣＤ１０９から出力された画像データは、Ａ／Ｄ・ＳＨ部１１０によりアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェース（Ｉ／Ｆ）部１１３を介して画像入出力制御部３のコア部１０へ転送される。
【００２８】
ＣＰＵ１１４は、操作部１１５で設定された設定内容に応じて画像処理部１１１及びインターフェース部１１３を制御する。例えば、操作部１１５の操作によりトリミング処理を行って複写を行う複写モードが設定されている場合は、画像処理部１１１により、画像データに対するトリミング処理を行わせてプリンタ部２へ画像データを転送させる。
【００２９】
また、操作部１１５の操作によりファクシミリ送信モードが設定されている場合は、インターフェース部１１３により、画像データと設定モードに応じた制御コマンドとをコア部１０へ転送させる。
【００３０】
このようなＣＰＵ１１４で実行される制御プログラムは、メモリ１１６に記憶されており、ＣＰＵ１１４は、メモリ１１６を参照しながら制御を行う。また、メモリ１１６は、ＣＰＵ１１４の作業領域としても使われる。
【００３１】
図４は、図１のコア部１０の内部構成を示すブロック図である。
【００３２】
図４において、リーダ部１からの画像データは、インターフェース部１２２を介してデータ処理部１２１へ転送され、また、リーダ部１からの制御コマンドは、インターフェース部１２２を介してＣＰＵ１２３へ転送される。
【００３３】
データ処理部１２１は、画像の回転処理や変倍処理などの画像処理を行う。リーダ部１からデータ処理部１２１へ転送された画像データは、リーダ部１から転送された制御コマンドに応じて、インターフェース部１２０を介してファクシミリ部４、ファイル部５、ネットワークインターフェース部７へそれぞれ送られる。
【００３４】
コンピュータ１１から送信されてきた画像を表すＰＤＬデータは、ネットワークインターフェース部７及びインターフェース部１２０を介してコア部１０のＣＰＵ１２３に入力される。ＣＰＵ１２３は、入力されたＰＤＬデータがＬＩＰＳ又はポストスクリプトのいずれの言語で記述されているかを判定し、対応するＬＩＰＳフォーマッタ部８又はＰＳフォーマッタ部９へ転送して画像データとして展開させる。この展開された画像データは、データ処理部１２１に転送された後、ファクシミリ部４やプリンタ部２へ転送される。
【００３５】
ファクシミリ部４からコア部１０へ送られた画像データは、データ処理部１２１へ転送された後、プリンタ部２やファイル部５、ネットワークインターフェース部７へ転送される。
【００３６】
また、ファイル部５からコア部１０へ送られた画像データは、データ処理部１２１へ転送された後、ブリンタ部２やファクシミリ部４、ネットワークインターフェース部７へそれぞれ転送される。
【００３７】
ＣＰＵ１２３は、メモリ１２４に記憶されている制御プログラム、及びリーダ部１から転送された制御コマンドに従って、上記のような制御を行う。また、メモリ１２４は、ＣＰＵ１２３の作業領域としても使われる。
【００３８】
ネットワークインターフェース部７には、ＭＩＢ（Management Information Base）と呼ばれるデータベースが構築されており、ＳＮＭＰ（Simple Network Management Protocol）プロトコルを用いてネットワーク上のコンピュータと通信し、プリンタの管理が可能になっている。また、部門ＩＤごとに設定可能なプリント枚数やその他の各種設定を、装置の操作部１１５あるいはネットワーク上のコンピュータ１１から行うことができるようになっている。
【００３９】
このように、コア部１０を中心にして、原稿画像の読取り、画像のプリント、画像の送受信、画像の保存、コンピュータ１１に対するデータの入出力などの各種の機能を単独又は複合的に実行させることができる。
【００４０】
次に、スキャン時のセキュリティ処理を図５のフローチャートを参照して詳細に説明する。
【００４１】
図５は、図１の画像読取システムにて実行されるスキャン時のセキュリティ処理を示すフリーチャートである。
【００４２】
図５において、まず、リーダ部１のＣＰＵ１１４は、コア部１０からスキャンを実行する命令（コマンド）を受信する（ステップＳ１）。ステップＳ２では、スキャン実行命令に基づきスキャンを実行する。
【００４３】
次に、リーダ部１のＣＰＵ１１４により、スキャンしたデータに認証用のビットを付加する（ステップ３）。認証用ビットは、画像データの先頭に特定のビット数で付加される。なお、認証用ビットには、デバイスの情報、及びデータの種類の情報（ＲＧＢ／ＣＭＹＫ，２値／多値等）が盛り込まれる。つづいて、リーダ部１のＣＰＵ１１４は、スキャンした画像データを暗号化する（ステップＳ４）。
【００４４】
次に、ステップＳ５にて、画像入出力制御部３内のコア部１０におけるデータ処理部１２１により、受信した画像データの解析を行う。具体的には、画像データの先頭ビットに付加された認証用ビットを解析する。ステップＳ６では、認証用ビットが適切なデバイスからのものかどうかを判別する。適切なデバイスからのものと判断したときは、暗号化された画像データを復号する（ステップＳ７）。次に、ステップＳ８にて、復号した画像データをコンピュータ１１に転送し、本処理を終了する。
【００４５】
一方、ステップＳ６にて、適切なデバイスからのものではないと判断した場合は、ステップＳ９のエラー処理に進み、コンピュータ１１の画面上にエラーを表示する。更に、スキャンデータが認証されない限り、光磁気ディスク・ドライブユニット６内にスキャンデータを記憶しないものとする。
【００４６】
上記第１の実施の形態によれば、原稿画像を読み取ってＣＣＤ１０９によって光電変換された画像データに認証用のビットを付加し（図５のステップＳ３）、認証用ビットが付加された画像データを暗号化し（同ステップＳ４）、認証用ビットを解析して適切なデバイスのものであるか否かを判断して（同ステップＳ６）、暗号化された画像データを解読して復号する（同ステップＳ７）ので、スキャン実行時やスキャンした画像を参照する際に行われるユーザ認証のセキュリティをより強化することができる。
【００４７】
［第２の実施の形態］
本第２の実施の形態は、その構成（図１〜図４）が上記第１の実施の形態と同じであり、その説明は省略する。以下、上記第１の実施の形態と異なる点のみを説明する。
【００４８】
本第２の実施の形態では、プロトコル変換ＢＯＸを有するマルチファンクションプリンタにおけるスキャン時のセキュリティ処理について詳細に説明する。
【００４９】
プロトコル変換ＢＯＸとは、異なる通信プロトコルを有する機器間の通信を可能にする装置である。上述した画像読取システムがプロトコル変換ＢＯＸを採用することにより、図５におけるステップ３のスキャンデータに対する認証用ビット付加及びステップ４のスキャンデータの暗号化の処理をプロトコル変換ＢＯＸが行うので、マルチファンクションプリンタでの処理の負荷が減り、パフォーマンスの向上を図ることが可能である。
【００５０】
まず、プロトコル変換ＢＯＸの構成について図６（ａ）〜図６（ｃ）を参照して説明する。プロトコル変換ＢＯＸは、図６（ａ）〜図６（ｃ）に示すように、マルチファンクションプリンタ内のリーダ部１／プリンタ部２と画像入出力制御部３と間に有する。
【００５１】
図６は、プロトコル変換ＢＯＸの全体構成を示す図であり、（ａ）はＲＩＰ（ラスターイメージプロセッサ）が画像入出力制御部３内にある場合、（ｂ）はＲＩＰがプロトコル変換ＢＯＸ内にある場合、（ｃ）はＲＩＰがリーダ部１／プリンタ部２内にある場合を示す。
【００５２】
図６（ａ）において、ＲＩＰ４０１は、画像入出力制御部３内に配置され、画像入出力制御部３上のアプリケーションソフトウエアにより生成された画像をビットマップイメージデータに展開するものである。Ethernet（登録商標）ケーブル４０２は、１Ｇｂｐｓのデータ転送速度を有し、ＲＩＰ２によって生成されたビットマップイメージデータを転送する。
【００５３】
プロトコル変換ＢＯＸ４０３は、画像入出力制御部３からＡというプロトコルによって受けたデータをプロトコル変換手段４０４によってＢというプロトコルに変換し、出力する。Ethernet（登録商標）ケーブル４０５は、１００Ｍｂｐｓのデータ転送速度を有し、Ｂというプロトコルによってコマンドやステータスを転送する。高速ビデオ転送手段（プリントビデオデータ）４０６は、プリント用のビデオデータを専用に転送する。例えば、Channel Linkといったもので実現される。
【００５４】
リーダ部１は原稿の読取装置であり、プリンタ部２はカラーやモノクロの画像を電子写真技術によって出力する装置である。
【００５５】
図６（ａ）では、ＲＩＰ４０１が画像入出力制御部３内に格納されている場合の構成を示しているが、ＲＩＰ４０１が格納される場所はプロトコル変換ＢＯＸ４０３内であってもリーダ部１／プリンタ部２内であってもよい。
【００５６】
図６（ｂ）は、プロトコル変換ＢＯＸ４０３内にＲＩＰ４０８が格納されている場合の構成を示す。この場合、画像入出力制御部３上のアプリケーションソフトウエアで生成された画像は、ＩＰＤＳ（Intelligent Printer Data Stream）といったデータストリームやPostScript、ＰＣＬといったＰＤＬデータなどによって画像入出力制御部３から出力されてくる。そのため、ビットマップイメージデータのような大容量なデータではないため、図６（ａ）の構成に比べて転送速度の高速性が要求されない。そのため、Ethernet（登録商標）４０７は１００Ｍｂｐｓの転送速度を有すればよい。プロトコル変換手段４０４は、画像入出力制御部３からＡというプロトコルによって受けたデータストリームやＰＤＬデータをＲＩＰ４０８によってＲＩＰ化し、ＲＩＰ化したデータをＢというプロトコルに変換して出力する。
【００５７】
図６（ｃ）は、リーダ部１／プリンタ部２内にＲＩＰ４０９が格納されている場合の構成を示す。この場合、画像入出力制御部３上のアプリケーションソフトウエアで生成された画像は、ＩＰＤＳ等のデータストリームやPostScript、ＰＣＬ等のＰＤＬデータなどによって画像入出力制御部３から出力され、プロトコル変換ＢＯＸ４０４によりそのデータ形式を変換せずにプロトコルのみをＡからＢに変換して出力する。
【００５８】
図７は、図６（ａ）〜図６（ｃ）のプロトコル変換ＢＯＸの内部構成を示すブロック図である。
【００５９】
図７において、プロトコル変換ＢＯＸ４２１は、図６（ｂ）に示すプロトコル変換ＢＯＸ４０８と同様の構成を有する。ＣＰＵ４２２は、プロトコル変換ＢＯＸ４２１内の各部の動作を司っており、ＲＡＭ４２３やＨＤＤ４２４を制御している。
【００６０】
画像入出力制御部３とリーダ部１／プリンタ部２とは、それぞれ異なるプロトコルで制御され、画像入出力制御部３やリーダ部１／プリンタ部２が外部機器と通信する場合には、それぞれのプロトコルによって行われる。プロトコル変換手段４２６は、このような異なるプロトコルで制御されている機器間の通信を可能にし、加えてプロトコルの差異から生じる通信タイミングの問題を吸収するものである。
【００６１】
次に、上述したプロトコル変換ＢＯＸを有するマルチファンクションプリンタにおけるスキャン時のセキュリティ処理について図５及び図８を参照して説明する。なお、図５のステップＳ３〜Ｓ５を除く他のステップは、上記第１の実施の形態と同様である。
【００６２】
図８は、本発明の第２の実施の形態に係る画像読取システムにおけるプロトコル変換ＢＯＸの全体構成を示す図である。
【００６３】
まず、リーダ部１にてスキャンした画像データをプロトコル変換ＢＯＸ４３０が受け取り、プロトコル変換ＢＯＸ４３０が認証用ビット付加手段４３０ａによりスキャンデータに認証用ビットを付加する（ステップ３）。次に、プロトコル変換ＢＯＸ４３０は、データ暗号化手段４３０ｂにより認証用ビット付きのスキャンデータを暗号化する（ステップ４）。暗号化されたスキャンデータは、画像入出力制御部３に転送され、データの解析が行われる（ステップ５）。
【００６４】
上記第２の実施の形態によれば、マルチファンクションプリンタが異なる通信プロトコルを有する機器間の通信を可能にするプロトコル変換ＢＯＸを有するので、マルチファンクションプリンタでの処理の負荷が減り、パフォーマンスの向上を図ることが可能となる。
【００６５】
なお、本発明は、上記実施の形態に限定されることなく、例えば、スキャナ機能とプリント機能とを備えたマルチファンクションプリンタだけでなく、スキャナ機能だけを備えたスキャナ専用機に適用することも可能である。
【００６６】
また、外部装置からの指示に応じて画像入力処理を行う装置だけでなく、自己の操作部からの指示に応じて画像入力処理を行う装置に適用してもよい。さらに、原稿に記録された画像だけでなく、フィルムに記録されたネガやポジの画像を読取る場合にも適用することが可能である。
【００６７】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。この場合、記憶媒体から読み出されたプログラムコード自体が上述した実施の形態の機能を実現することになり、そのプログラムコードを記憶した記憶媒体は本発明を構成することになる。
【００６８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００６９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００７０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【図面の簡単な説明】
【００７１】
【図１】本発明の第１の実施の形態に係る画像読取システムの全体を示すシステム構成図である。
【図２】図１のマルチファンクションプリンタの内部構成を示す概略断面図である。
【図３】図１のリーダ部１の内部構成を示すブロック図である。
【図４】図１のコア部１０の内部構成を示すブロック図である。
【図５】図１の画像読取システムにて実行されるスキャン時のセキュリティ処理を示すフリーチャートである。
【図６】プロトコル変換ＢＯＸの全体構成を示す図であり、（ａ）はＲＩＰが画像入出力制御部３内にある場合、（ｂ）はＲＩＰがプロトコル変換ＢＯＸ内にある場合、（ｃ）はＲＩＰがリーダ部１/プリンタ部２内にある場合を示す。
【図７】図６（ａ）〜図６（ｃ）のプロトコル変換ＢＯＸの内部構成を示すブロック図である。
【図８】本発明の第２の実施の形態に係る画像読取システムにおけるプロトコル変換ＢＯＸの全体構成を示す図である。
【符号の説明】
【００７２】
１  リーダ部
２  プリンタ部
３  画像入出力制御部
４  ファクシミリ部
５  ファイル部
１０  コア部
１１  コンピュータ
１１１  画像処理部
１２１  データ処理部
１１４，１２３  ＣＰＵ
【図１】
2005286884.tif 000003
【図２】
2005286884.tif 000004
【図３】
2005286884.tif 000005
【図４】
2005286884.tif 000006
【図５】
2005286884.tif 000007
【図６】
2005286884.tif 000008
【図７】
2005286884.tif 000009
【図８】
2005286884.tif 000010